(57)【要約】      （修正有）【課題】被テストエレメントの総数を自動判定しモニターする交流電流ディテクターを提供する。【解決手段】交流電流ディテクター１は、ディテクティングインプットユニット１０、第一アウトプットレベルユニット１１、第二ディレイユニット１２、第二アウトプットレベルユニット１３及びカスケードネクストエレメントユニット１４を有する。ディテクティングインプットユニット１０は、第一ディレイユニット１００及び第一インバーター１０１を有する。第一ディレイユニット１００はインプットシグナルを受信しディレイする。第一インバーター１０１のインプット端は第一ディレイユニット１００と連結し、インプットシグナルをインバートする。第一アウトプットレベルユニット１１は第一ナンドゲイト１１０、第一ダイオード１１１及び第一レジスター１１２を有する。【選択図】図１
0003196600.tif 000002
【実用新案登録請求の範囲】
【請求項１】
被テストエレメントの総数を自動判定しモニターする交流電流ディテクターであって、ディテクティングインプットユニット、第一アウトプットレベルユニット、第二ディレイユニット、第二アウトプットレベルユニット及びカスケードネクストエレメントユニットを有し、
前記ディテクティングインプットユニットは、第一ディレイユニット、第一インバーターを有し、
前記第一ディレイユニットは、インプットシグナルを受信し、ディレイし、
前記第一インバーターのインプット端は、前記第一ディレイユニットと連結し、インプットシグナルをインバートし、
前記第一アウトプットレベルユニットは、第一ナンドゲイト、第一ダイオード、第一レジスターを有し、
前記第一ナンドゲイトのインプット端は、エレメントの交流電流シグナルと連結し、もう一つのインプット端は、前記第一インバーターのアウトプット端と連結し、
前記第一ダイオードのカソード端は、前記第一ナンドゲイトのアウトプット端と連接し、
前記第一レジスターの一端は、前記第一ダイオードのアノード端と連接し、
前記第二ディレイユニットは、前記第一インバーターのアウトプットと連接し、インバート後のインプットシグナルをディレイし、
前記第二アウトプットレベルユニットは、第二ナンドゲイト、第二ダイオードを有し、
前記第二ナンドゲイトのインプット端は、前記第一ディレイユニットのアウトプットと連接し、もう一つのインプット端は、前記第二ディレイユニットのアウトプット端と連接し、
前記第二ダイオードのカソード端は、前記第二ナンドゲイトのアウトプット端と連接し、そのアノード端は、前記第一レジスターのもう一つの端と連接し、
カスケードネクストエレメントユニットは、第二インバーター、第二レジスターを有し、
前記第二インバーターのインプット端は、前記第二ディレイユニットのアウトプット端と連接し、
前記第二レジスターの一端は、前記第二インバーターのアウトプット端と連接し、もう一つの端は、次のエレメントのインプット端とカスケード接続することを特徴とする被テストエレメントの総数を自動判定しモニターする交流電流ディテクター。
【請求項２】
前記第一ディレイユニットは、第三レジスター、第四レジスター、第一キャパシタンス、第三ダイオードを有し、
前記第三レジスターの一端は、アースし、もう一つの端は、インプットシグナルを受信し、
前記第四レジスターの一端は、前記第三レジスターのもう一つの端と連接し、
前記第一キャパシタンスの一端は、前記第四レジスターのもう一つの端と連接し、もう一つの端は、アースし、
前記第三ダイオードのカソード端は、前記第三レジスターのもう一つの端と連接し、インプットシグナルを受信し、前記第三ダイオードのアノード端は、前記第四レジスターのもう一つの端と連接することを特徴とする請求項１に記載の被テストエレメントの総数を自動判定しモニターする交流電流ディテクター。
【請求項３】
前記第二ディレイユニットは、第五レジスター、第四ダイオード、第二キャパシタンスを有し、
前記第五レジスターの一端は、前記第一インバーターのアウトプット端と連結し、
前記第四ダイオードのアノード端は、前記第一インバーターのアウトプット端と連結し、前記カソード端は、前記第五レジスターのもう一つの端と連結し、前記第四ダイオードのカソード端は、前記第二ナンドゲイトのもう一つのインプット端と連結し、
前記第二キャパシタンスの一端は、前記第四ダイオードのカソード端と連結し、もう一つの端は、アースすることを特徴とする請求項１或いは２に記載の被テストエレメントの総数を自動判定しモニターする交流電流ディテクター。
【請求項４】
前記第一ナンドゲイトのインプット端と連接するエレメントの交流電流シグナル連結方式は、外部センサー、スイッチ或いは押しボタンに連接することを特徴とする請求項１或いは２に記載の被テストエレメントの総数を自動判定しモニターする交流電流ディテクター。
【請求項５】
前記第一ナンドゲイトのインプット端と連接するエレメントの交流電流シグナル連結方式は、外部センサー、スイッチ或いは押しボタンに連接することを特徴とする請求項３に記載の被テストエレメントの総数を自動判定しモニターする交流電流ディテクター。
【請求項６】
前記被テストエレメントの総数を自動判定しモニターする交流電流ディテクターは、さらに外殼、磁場感知反応回路、インジケーター、拡大駆動回路を有し、
前記外殼は、穿孔を有し、前記穿孔には、交流電流が負荷する電線を通し、且つ第一アウトプット端及び第二アウトプット端を有し、
前記磁場感知反応回路は、前記外殼内部に位置し、且つ前記穿孔の周囲を取り囲み、電線上の交流電流が発生する磁場を感知し、第一電圧を発生し、
前記インジケーターは、前記磁場感知反応回路に接続し、第一電圧の強度に基づき、発光し、
前記整流フィルター回路は、前記第一電圧に対して整流及びフィルタリングを行い、第二電圧を発生し、
前記拡大駆動回路は、前記第二電圧を拡大し、第一アウトプット端と第二アウトプット端との間で、アウトプット電流を発生することを特徴とする請求項１或いは２に記載の被テストエレメントの総数を自動判定しモニターする交流電流ディテクター。
【請求項７】
前記外殼は、さらにインプット端子セット、アウトプット端子セットを有し、
前記インプット端子セットは、インプット電源カソード端、インプット端、インプットシグナル端、インプット電源アノード端を有し、
前記アウトプット端子セットは、アウトプット電源カソード端、アウトプット端、アウトプットシグナル端、アウトプット電源アノード端を有し、
前記アウトプット電源カソード端は、次の被テストエレメントの総数を自動判定しモニターする交流電流ディテクターのインプット電源カソード端と連結し、
前記アウトプット端は、次の被テストエレメントの総数を自動判定しモニターする交流電流ディテクターのインプット端とカスケード接続し、
前記アウトプットシグナル端は、次の被テストエレメントの総数を自動判定しモニターする交流電流ディテクターのインプットシグナル端とカスケード接続し、
前記アウトプット電源アノード端は、次の被テストエレメントの総数を自動判定しモニターする交流電流ディテクターのインプット電源アノード端と連結することを特徴とする請求項６に記載の被テストエレメントの総数を自動判定しモニターする交流電流ディテクター。
【考案の詳細な説明】
【技術分野】
【０００１】
本考案は、被テストエレメントの総数を自動判定しモニターする交流電流ディテクターに関し、被テストエレメントの総数を自動判定でき、カスケード接続方式により、１個のエレメントのテストが完了すると次のエレメントに通知するため、エレメントの基本誤差が累積誤差を招くことがない被テストエレメントの総数を自動判定しモニターする交流電流ディテクターに関する。
【背景技術】
【０００２】
交流電流（Ａｌｔｅｒｎａｔｉｎｇ  Ｃｕｒｒｅｎｔ、ＡＣ）とは、大きさ、方向ともに周期的変化を生じる電流を指す。
１個の周期内の運行平均値は、ゼロである。
方向が時間に従い変化しない直流電流に比べ、交流電流は、電気エネルギーの伝送において効率が高い方式である。
且つ、その電圧を比較的便利に変更できるため、現在各国の商用及び民用電力では交流電流の方式が採用されている。
【０００３】
大部分の電器設備は、交流電流により電気エネルギーを供給するため、交流電流が正常に給電できなければ、電器設備は正常に作動せず、工業生産において重大な損失を招く。
そのため、交流電流が正常に給電されているかどうかを検知することは、非常に重要な課題である。  
【０００４】
しかしながら、現在大部分の交流電流検知装置は、交流電流そのものに接続する必要があるため、被検知対象の電気特性に対して影響或いは干渉を与える可能性がある。
且つ、複数の電器設備を検知しようとするなら、交流電流検知装置をそれぞれ設置する必要がある。
つまり、１個の交流電流検知装置で、複数の電器設備を検知することはできないのである。
【０００５】
よって、交流電流そのものに接続する必要がなく、被検知対象の電気特性に対して影響或いは干渉を生じず、且つ複数の電器設備の交流電流ディテクターを検知できるようにする必要がある。
【考案の概要】
【考案が解決しようとする課題】
【０００６】
しかし、上述した考案は使用上に欠点があり、改善する必要がある。その原因は下記の通りである。
【０００７】
従来の交流電流ディテクターは、交流電流そのものに接続する必要があり、且つ複数の電器設備を検知できないという欠点を有する。
【０００８】
本考案は、上述の問題に鑑みてなされたものであり、その目的は、提供一種交流電流そのものに接続する必要がなく、被検知対象の電気特性に対して影響或いは干渉を生じず、且つ複数の電器設備の交流電流を検知可能な被テストエレメントの総数を自動判定しモニターする交流電流ディテクターを提供することにある。
【課題を解決するための手段】
【０００９】
本考案による被テストエレメントの総数を自動判定しモニターする交流電流ディテクターは、ディテクティングインプットユニット、第一アウトプットレベルユニット、第二ディレイユニット、第二アウトプットレベルユニット及びカスケードネクストエレメントユニットを有する。
該第一ディレイユニットは、インプットシグナルを受信し、ディレイする。
該第一インバーターのインプット端は、該第一ディレイユニットと連結し、インプットシグナルをインバートする。
該第一アウトプットレベルユニットは、第一ナンドゲイト、第一ダイオード、第一レジスターを有する。
該第一ナンドゲイトのインプット端は、エレメントの交流電流シグナルと連結し、もう一つのインプット端は、第一インバーターのアウトプット端と連結する。
該第一ダイオードのカソード端は、該第一ナンドゲイトのアウトプット端と連接する。
該第一レジスターの一端は、該第一ダイオードのアノード端と連接する。
該第二ディレイユニットは、該第一インバーターのアウトプットと連接し、インバート後のインプットシグナルをディレイする。
該第二アウトプットレベルユニットは、第二ナンドゲイト、第二ダイオードを有する。
該第二ナンドゲイトのインプット端は、該第一ディレイユニットのアウトプットと連接し、もう一つのインプット端は、第二ディレイユニットのアウトプット端と連接する。
該第二ダイオードのカソード端は、該第二ナンドゲイトのアウトプット端と連接し、そのアノード端は、該第一レジスターのもう一つの端と連接する。
該カスケードネクストエレメントユニットは、第二インバーター、第二レジスターを有する。
該第二インバーターのインプット端は、該第二ディレイユニットのアウトプット端と連接する。
該第二レジスターの一端は、該第二インバーターのアウトプット端と連接し、もう一つの端は、次のエレメントのインプット端とカスケード接続する連結する。
【００１０】
上述のシステムを通して、本考案は磁場感知反応方式を利用し、侵襲することなく、被検知対象の電気特性に対して影響或いは干渉を及ぼすことがない。
【００１１】
さらに、本考案は、感知反応の微弱交流シグナルを、デジタル化されたＯＮ／ＯＦＦ電子シグナルに転換するため、離れた距離で検知でき、干渉を及ぼさず、且つ寿命が長い。
【００１２】
本考案は、被テストエレメントの総数を自動判定できる。
【００１３】
本考案は、カスケード接続方式により、１個のエレメントのテストが完了すると次のエレメントに通知するため、エレメントの基本誤差が累積誤差を招くことはない。
【００１４】
本考案は、カスケード接続位置により、ディテクターのＩＤを決定し、何らかのパラメーターを設定する必要なく、そのまま使用することができる。
【００１５】
本考案のアウトプット端は並列接続方式であるため、配線を大幅に少なくすることができる。
【図面の簡単な説明】
【００１６】
【図１】本考案の一実施形態による被テストエレメントの総数を自動判定しモニターする交流電流ディテクターのシステム構成図である。
【図２】本考案の一実施形態による被テストエレメントの総数を自動判定しモニターする交流電流ディテクターの細部回路図である。
【図３】本考案の一実施形態による被テストエレメントの総数を自動判定しモニターする交流電流ディテクターの実施形態図である。
【図４】本考案の一実施形態による被テストエレメントの総数を自動判定しモニターする交流電流ディテクターの外殼の実施形態図である。
【図５】本考案の一実施形態による被テストエレメントの総数を自動判定しモニターする交流電流ディテクターが複数の交流電流ディテクターに接続する状態を示す模式図である。
【図６】本考案の一実施形態による被テストエレメントの総数を自動判定しモニターする交流電流ディテクターのタイミング図である。
【考案を実施するための形態】
【００１７】
（一実施形態）
本考案の一実施形態による被テストエレメントの総数を自動判定しモニターする交流電流ディテクターを図面に基づいて説明する。
図１に示すように、本考案の一実施形態による被テストエレメントの総数を自動判定しモニターする交流電流ディテクター１は、ディテクティングインプットユニット１０、第一アウトプットレベルユニット１１、第二ディレイユニット１２、第二アウトプットレベルユニット１３及びカスケードネクストエレメントユニット１４を有する。
【００１８】
ディテクティングインプットユニット１０は、第一ディレイユニット１００及び第一インバーター１０１を有する。
第一ディレイユニット１００は、インプットシグナルを受信し、ディレイする。
第一インバーター１０１のインプット端は、第一ディレイユニット１００と連結し、インプットシグナルをインバートする。
【００１９】
第一アウトプットレベルユニット１１は、第一ナンドゲイト１１０、第一ダイオード１１１及び第一レジスター１１２を有する。
第一ナンドゲイト１１０のインプット端は、エレメントの交流電流シグナルと連結し、もう一つのインプット端は、第一インバーター１０１のアウトプット端と連結する。
第一ダイオード１１１のカソード端は、第一ナンドゲイト１１０のアウトプット端と連接する。
第一レジスター１１２の一端は、第一ダイオード１１１のアノード端と連接する。
【００２０】
第二ディレイユニット１２は、第一インバーター１０１のアウトプット端と連接し、インバート後のインプットシグナルをディレイする。
第二アウトプットレベルユニット１３は、第二ナンドゲイト１３０及び第二ダイオード１３１を有する。
第二ナンドゲイト１３０のインプット端は、第一ディレイユニット１００のアウトプット端と連接し、もう一つのインプット端は、第二ディレイユニット１２のアウトプット端と連接する。
第二ダイオード１３１のカソード端は、第二ナンドゲイト１３０のアウトプット端と連接し、そのアノード端は、第一レジスター１１２のもう一つの端と連接する。
【００２１】
カスケードネクストエレメントユニット１４は、第二インバーター１４０及び第二レジスター１４１を有する。
第二インバーター１４０のインプット端は、第二ディレイユニット１２のアウトプット端と連接する。
第二レジスター１４１の一端は、第二インバーター１４０のアウトプット端と連接し、もう一つの端は、次のエレメントのインプット端とカスケード接続する連結する。
【００２２】
図２に示すとおり、本考案の一実施形態において、第一ディレイユニット１００は、第三レジスター１０００、第四レジスター１００１、第一キャパシタンス１００２及び第三ダイオード１００３を有する。
第三レジスター１０００の一端は、アースし、もう一つの端は、インプットシグナルを受信する。
第四レジスター１００１の一端は、第三レジスター１０００のもう一つの端と連接する。
第一キャパシタンス１００２の一端は、第四レジスター１００１のもう一つの端と、連接し、もう一つの端は、アースする。
第三ダイオード１００３のカソード端は、第三レジスター１０００のもう一つの端と連接し、インプットシグナルを受信する。
第三ダイオード１００３のアノード端は、第四レジスター１００１のもう一つの端と連接する。
【００２３】
本考案の一実施形態において、第二ディレイユニット１２は、第五レジスター１２０、第四ダイオード１２１及び第二キャパシタンス１２２を有する。
第五レジスター１２０の一端は、第一インバーター１０１のアウトプット端と連結する。
第四ダイオード１２１のアノード端は、第一インバーター１０１のアウトプット端と連結する。
カソード端は、第五レジスター１２０のもう一つの端と連結する。
第四ダイオード１２１のカソード端は、第二ナンドゲイト１３０のもう一つのインプット端と連結する。
第二キャパシタンス１２２の一端は、第四ダイオード１２１のカソード端と連結し、もう一つの端は、アースする。
【００２４】
本考案の一実施形態において、第一ナンドゲイト１１０のインプット端と連接するエレメントの交流電流シグナル連結方式は、外部センサー、スイッチ或いは押しボタンに連接する。
【００２５】
図３及び図４に示すとおり、本考案の一実施形態において、本考案の被テストエレメントの総数を自動判定しモニターする交流電流ディテクター１はさらに、外殼１５、磁場感知反応回路１６、インジケーター１７、整流フィルター回路１８及び拡大駆動回路１９を有する。
【００２６】
外殼１５は、穿孔１５０を有する。
穿孔１５０には、交流電流が負荷する電線を通し、且つ第一アウトプット端及び第二アウトプット端を有する。
磁場感知反応回路１６は、外殼１５内部に位置し、且つ穿孔１５０の周囲を取り囲み、電線上の交流電流が発生する磁場を感知し、第一電圧を発生する。
インジケーター１７は、磁場感知反応回路１６に接続し、第一電圧の強度に基づき、発光する。
整流フィルター回路１８は、第一電圧に対して整流及びフィルタリングを行い、第二電圧を発生する。
拡大駆動回路１９は、第二電圧を拡大し、第一アウトプット端と第二アウトプット端との間で、アウトプット電流を発生する。
【００２７】
一実施形態において、磁場感知反応回路１６は、ソレノイド１６０を有し、交流電流が負荷される導線の中央穿孔の周囲区域において発生する磁場を感知する。
インジケーター１７は、第一ノード２とグラウンド電位との間に接続し、第一電圧の強度に基づき、発光する。
一実施形態において、インジケーター１７は、第六レジスター１７０及びＬＥＤインジケーター１７１を有する。
【００２８】
整流フィルター回路１８は、第一ノード２と第二ノード３との間に接続し、第一電圧に対して整流及びフィルタリングを行い、第二ノード３において第二電圧を発生する。
一実施形態において、整流フィルター回路１８は、第五ダイオード１８０及び第三キャパシタンス１８１を有する。
第五ダイオード１８０は、第一ノード２と第二ノード３との間に接続し、第一ノード２と第二ノード３との間を流れる電流に対して整流を行う。
キャパシタンス１８１は、第二ノード３とグラウンド電位との間に接続する。
【００２９】
拡大駆動回路１９は、第二ノード３に接続し、第二電圧を拡大し、第一アウトプット端５３０ａと第二アウトプット端５３０ｂとの間で、アウトプット電流を発生する。
一実施形態において、拡大駆動回路１９は、トランジスター１９０、レジスター１９１及びレジスター１９２を有する。
レジスター１９１は、トランジスター１９０のベース極と第二ノード３との間に接続する。
トランジスター１９０は、第一アウトプット端５３０ａに接続するコレクト極、及び第二アウトプット端５３０ｂに接続するエミッタ極を有する。
【００３０】
図５に示すとおり、本考案の一実施形態において、外殼１５は、さらにインプット端子セット１５１、アウトプット端子セット１５２を有する。
【００３１】
インプット端子セット１５１は、インプット電源カソード端１５１０、インプット端１５１１、インプットシグナル端１５１２、インプット電源アノード端１５１３を有する。
【００３２】
アウトプット端子セット１５２は、アウトプット電源カソード端１５２０、アウトプット端１５２１、アウトプットシグナル端１５２２、アウトプット電源アノード端１５２３を有する。
アウトプット電源カソード端１５２０は、と次の被テストエレメントの総数を自動判定しモニターする交流電流ディテクター１のインプット電源カソード端１５１０と連結する。
アウトプット端１５２１は、次の被テストエレメントの総数を自動判定しモニターする交流電流ディテクター１のインプット端１５１１とカスケード接続する。
アウトプットシグナル端１５２２は、次の被テストエレメントの総数を自動判定しモニターする交流電流ディテクター１のインプットシグナル端１５１２とカスケード接続する。
アウトプット電源アノード端１５２３は、次の被テストエレメントの総数を自動判定し、モニターする交流電流ディテクター１のインプット電源アノード端１５１３と連結する。
【００３３】
図６に示すとおり、この配線のアウトプット端の直流電圧アウトプットレベルは、高レベル（ＶＨ）、中レベル（ＶＭ）及び低レベル（ＶＬ）の三つに分けられる。
検知過程は、Ｌｏａｄ  ＯＮ／ＯＦＦの判定タイミングとこのエレメント終了の確認タイミングの２個のタイミングに分けられる。
【００３４】
インプット端電位が、ＬｏｗからＨｉｇｈに変わると、第一タイミングは、高レベル（ＶＨ）は、Ｌｏａｄ  ＯＮを示し、中レベル（ＶＭ）は、Ｌｏａｄ  ＯＦＦを示すなど、アウトプット端から直流電圧レベルの読み取りを開始する。
続いて、第二タイミングが読み取った直流電圧レベルが低レベル（ＶＬ）である時には、このエレメントは既に検知が終了したことを示し、このエレメントは同時に、検知開始の信号を次のエレメントへとアウトプットする。
アウトプット端が読み取った直流電圧レベルが、高レベル（ＶＨ）で、長時間持続しているなら、エレメント数がここで終りであることを示す。
【００３５】
上述のシステムを通して、本考案は磁場感知反応方式を利用し、侵襲することがないため、被検知対象の電気特性に対して影響或いは干渉を及ぼすことはない。
本考案は、感知反応の微弱交流シグナルを、デジタル化されたＯＮ／ＯＦＦ電子シグナルに転換するため、離れた距離で検知でき、干渉を及ぼさず、且つ寿命が長い。
【００３６】
本考案は、被テストエレメントの総数を自動判定でき、カスケード接続方式により、１個のエレメントのテストが完了すると次のエレメントに通知するため、エレメントの基本誤差が累積誤差を招くことはない。
本考案は、カスケード接続位置により、ディテクターのＩＤを決定し、何らかのパラメーターを設定する必要なく、そのまま使用することができる。
本考案のアウトプット端は並列接続方式であるため、配線を大幅に少なくすることができる。
【００３７】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び明細書の内容に基づいて、同等効果を有する簡単な変化及び修飾は、全て、本考案の範囲内に属するものとする。
【符号の説明】
【００３８】
１        被テストエレメントの総数を自動判定しモニターする交流電流ディテクター
１０      ディテクティングインプットユニット
１００    第一ディレイユニット
１０００  第三レジスター
１００１  第四レジスター
１００２  第一キャパシタンス
１００３  第三ダイオード
１０１    第一インバーター
１１      第一アウトプットレベルユニット
１１０    第一ナンドゲイト
１１１    第一ダイオード
１１２    第一レジスター
１２      第二ディレイユニット
１２０    第五レジスター
１２１    第四ダイオード
１２２    第二キャパシタンス
１３      第二アウトプットレベルユニット
１３０    第二ナンドゲイト
１３１    第二ダイオード
１４      カスケードネクストエレメントユニット
１４０    第二インバーター
１４１    第二レジスター
１５      外殼
１５０    穿孔
１５１    インプット端子セット
１５１０  インプット電源カソード端
１５１１  インプット端
１５１２  インプットシグナル端
１５１３  インプット電源アノード端
１５２    アウトプット端子セット
１５２０  アウトプット電源カソード端
１５２１  アウトプット端
１５２２  アウトプットシグナル端
１５２３  アウトプット電源アノード端
１６      磁場感知反応回路
１６０    ソレノイド
１７      インジケーター
１７０    第六レジスター
１７１    ＬＥＤインジケーター
１８      整流フィルター回路
１８０    第五ダイオード
１８１    第三キャパシタンス
１９      拡大駆動回路
２        第一ノード
３        第二ノード
【図１】
0003196600.tif 000003
【図２】
0003196600.tif 000004
【図３】
0003196600.tif 000005
【図４】
0003196600.tif 000006
【図５】
0003196600.tif 000007
【図６】
0003196600.tif 000008
【手続補正書】
【提出日】平成27年1月5日(2015.1.5)
【手続補正１】
【補正対象書類名】明細書
【補正対象項目名】００２９
【補正方法】変更
【補正の内容】
【００２９】
拡大駆動回路１９は、第二ノード３に接続し、第二電圧を拡大し、第一アウトプット端と第二アウトプット端との間で、アウトプット電流を発生する。
一実施形態において、拡大駆動回路１９は、トランジスター１９０、レジスター１９１及びレジスター１９２を有する。
レジスター１９１は、トランジスター１９０のベース極と第二ノード３との間に接続する。
トランジスター１９０は、第一アウトプット端に接続するコレクト極、及び第二アウトプット端に接続するエミッタ極を有する。
【手続補正書】
【提出日】平成27年1月15日(2015.1.15)
【手続補正１】
【補正対象書類名】実用新案登録請求の範囲
【補正対象項目名】全文
【補正方法】変更
【補正の内容】
【実用新案登録請求の範囲】
【請求項１】
被テストエレメントの総数を自動判定しモニターする交流電流ディテクターであって、ディテクティングインプットユニット、第一アウトプットレベルユニット、第二ディレイユニット、第二アウトプットレベルユニット及びカスケードネクストエレメントユニットを有し、
前記ディテクティングインプットユニットは、第一ディレイユニット、第一インバーターを有し、
前記第一ディレイユニットは、インプットシグナルを受信し、ディレイし、
前記第一インバーターのインプット端は、前記第一ディレイユニットと連結し、インプットシグナルをインバートし、
前記第一アウトプットレベルユニットは、第一ナンドゲイト、第一ダイオード、第一レジスターを有し、
前記第一ナンドゲイトのインプット端は、エレメントの交流電流シグナルと連結し、もう一つのインプット端は、前記第一インバーターのアウトプット端と連結し、
前記第一ダイオードのカソード端は、前記第一ナンドゲイトのアウトプット端と連接し、
前記第一レジスターの一端は、前記第一ダイオードのアノード端と連接し、
前記第二ディレイユニットは、前記第一インバーターのアウトプットと連接し、インバート後のインプットシグナルをディレイし、
前記第二アウトプットレベルユニットは、第二ナンドゲイト、第二ダイオードを有し、
前記第二ナンドゲイトのインプット端は、前記第一ディレイユニットのアウトプットと連接し、もう一つのインプット端は、前記第二ディレイユニットのアウトプット端と連接し、
前記第二ダイオードのカソード端は、前記第二ナンドゲイトのアウトプット端と連接し、そのアノード端は、前記第一レジスターのもう一つの端と連接し、
カスケードネクストエレメントユニットは、第二インバーター、第二レジスターを有し、
前記第二インバーターのインプット端は、前記第二ディレイユニットのアウトプット端と連接し、
前記第二レジスターの一端は、前記第二インバーターのアウトプット端と連接し、もう一つの端は、次のエレメントのインプット端とカスケード接続することを特徴とする被テストエレメントの総数を自動判定しモニターする交流電流ディテクター。
【請求項２】
前記第一ディレイユニットは、第三レジスター、第四レジスター、第一キャパシタンス、第三ダイオードを有し、
前記第三レジスターの一端は、アースし、もう一つの端は、インプットシグナルを受信し、
前記第四レジスターの一端は、前記第三レジスターのもう一つの端と連接し、
前記第一キャパシタンスの一端は、前記第四レジスターのもう一つの端と連接し、もう一つの端は、アースし、
前記第三ダイオードのカソード端は、前記第三レジスターのもう一つの端と連接し、インプットシグナルを受信し、前記第三ダイオードのアノード端は、前記第四レジスターのもう一つの端と連接することを特徴とする請求項１に記載の被テストエレメントの総数を自動判定しモニターする交流電流ディテクター。
【請求項３】
前記第二ディレイユニットは、第五レジスター、第四ダイオード、第二キャパシタンスを有し、
前記第五レジスターの一端は、前記第一インバーターのアウトプット端と連結し、
前記第四ダイオードのアノード端は、前記第一インバーターのアウトプット端と連結し、前記カソード端は、前記第五レジスターのもう一つの端と連結し、前記第四ダイオードのカソード端は、前記第二ナンドゲイトのもう一つのインプット端と連結し、
前記第二キャパシタンスの一端は、前記第四ダイオードのカソード端と連結し、もう一つの端は、アースすることを特徴とする請求項１或いは２に記載の被テストエレメントの総数を自動判定しモニターする交流電流ディテクター。
【請求項４】
前記第一ナンドゲイトのインプット端と連接するエレメントの交流電流シグナル連結方式は、外部センサー、スイッチ或いは押しボタンに連接することを特徴とする請求項１或いは２に記載の被テストエレメントの総数を自動判定しモニターする交流電流ディテクター。
【請求項５】
前記第一ナンドゲイトのインプット端と連接するエレメントの交流電流シグナル連結方式は、外部センサー、スイッチ或いは押しボタンに連接することを特徴とする請求項３に記載の被テストエレメントの総数を自動判定しモニターする交流電流ディテクター。
【請求項６】
前記被テストエレメントの総数を自動判定しモニターする交流電流ディテクターは、さらに外殼、磁場感知反応回路、インジケーター、整流フィルター回路、および、拡大駆動回路を有し、
前記外殼は、穿孔を有し、前記穿孔には、交流電流が負荷する電線を通し、且つ第一アウトプット端及び第二アウトプット端を有し、
前記磁場感知反応回路は、前記外殼内部に位置し、且つ前記穿孔の周囲を取り囲み、電線上の交流電流が発生する磁場を感知し、第一電圧を発生し、
前記インジケーターは、前記磁場感知反応回路に接続し、第一電圧の強度に基づき、発光し、
前記整流フィルター回路は、前記第一電圧に対して整流及びフィルタリングを行い、第二電圧を発生し、
前記拡大駆動回路は、前記第二電圧を拡大し、第一アウトプット端と第二アウトプット端との間で、アウトプット電流を発生することを特徴とする請求項１或いは２に記載の被テストエレメントの総数を自動判定しモニターする交流電流ディテクター。
【請求項７】
前記外殼は、さらにインプット端子セット、アウトプット端子セットを有し、
前記インプット端子セットは、インプット電源カソード端、インプット端、インプットシグナル端、インプット電源アノード端を有し、
前記アウトプット端子セットは、アウトプット電源カソード端、アウトプット端、アウトプットシグナル端、アウトプット電源アノード端を有し、
前記アウトプット電源カソード端は、次の被テストエレメントの総数を自動判定しモニターする交流電流ディテクターのインプット電源カソード端と連結し、
前記アウトプット端は、次の被テストエレメントの総数を自動判定しモニターする交流電流ディテクターのインプット端とカスケード接続し、
前記アウトプットシグナル端は、次の被テストエレメントの総数を自動判定しモニターする交流電流ディテクターのインプットシグナル端とカスケード接続し、
前記アウトプット電源アノード端は、次の被テストエレメントの総数を自動判定しモニターする交流電流ディテクターのインプット電源アノード端と連結することを特徴とする請求項６に記載の被テストエレメントの総数を自動判定しモニターする交流電流ディテクター。